(57)【特許請求の範囲】
【請求項１】
放送番組を受信し、当該受信した放送番組を表示する表示装置と、
前記表示装置を操作する表示装置制御手段と、
放送番組を受信し、当該受信した放送番組を記録再生する記録再生装置と、
前記表示装置と前記記録再生装置との間における、双方向性でのデータの送受信を可能せしめる通信手段とを、備えており、
前記表示装置が有する画面表示を介して録画予約を行う第一の操作が、前記表示装置制御手段において実施されたとき、前記表示装置は、
前記通信手段を経由して、前記記録再生装置が有する記録再生装置側録画予約リストに、前記録画予約を登録する第一の登録処理を実施し、
前記表示装置が有する表示装置側録画予約リストに、前記録画予約を登録する第二の登録処理を実施し、
前記記録再生装置は、
前記通信手段を経由して前記表示装置に、前記記録再生装置側録画予約リストを通知する予約リスト通知処理を実施し、
前記表示装置は、
前記通知された前記記録再生装置側録画予約リストと、前記表示装置側録画予約リストとを照合する予約リスト照合処理を実施し、
前記予約リスト照合処理の結果、前記録画再生装置側録画予約リストに含まれる予約情報と一致しなかった予約情報を、前記表示装置側録画予約リストから削除する、
ことを特徴とする放送番組録画予約システム。
【請求項２】
前記第一の操作が前記表示装置制御手段において実施されたとき、前記表示装置は、
前記録画予約の情報を前記画面表示に表示する、
ことを特徴とする請求項１に記載の放送番組録画予約システム。
【請求項３】
前記第一の登録処理を行う際に、前記記録再生装置が、前記録画予約の登録できない電源状態だったとき、
前記表示装置は、
前記通信手段を経由して、前記記録再生装置の電源状態を、前記録画予約の登録できる状態に変更し、その後、前記第一の登録処理を実施する、
ことを特徴とする請求項１に記載の放送番組録画予約システム。
【請求項４】
前記第一の登録処理を行った後、前記表示装置は、
前記通信手段を経由して、前記記録再生装置の電源状態を、前記録画予約の登録できない状態に戻す、
ことを特徴とすることを特徴とする請求項３に記載の放送番組録画予約システム。
【請求項５】
前記表示装置の起動後、前記予約リスト照合処理に際して、前記記録再生装置が、前記記録再生装置側録画予約リストの通知ができない電源状態だったとき、前記表示装置は、
前記通信手段を経由して、前記記録再生装置の電源状態を、前記記録再生装置側録画予約リストの通知ができる状態に変更し、その後、
前記記録再生装置は、
前記予約リスト通知処理を実施する、
ことを特徴とする請求項１に記載の放送番組録画予約システム。
【請求項６】
前記予約リスト照合処理後、前記表示装置は、
前記通信手段を経由して、前記記録再生装置の電源状態を、前記記録再生装置側録画予約リストの通知ができない状態に戻す、
ことを特徴とする請求項５に記載の放送番組録画予約システム。
【請求項７】
前記表示装置側録画予約リストにおける所定の予約情報を削除する第二の操作が、前記表示装置制御手段において実施されたとき、表示装置は、
前記通信手段を経由して、前記記録再生装置側録画予約リストから、前記所定の予約情報を削除する第一の削除処理を実施し、
前記表示装置側録画予約リストから、前記所定の予約情報を削除する第二の削除処理を実施する、
ことを特徴とする請求項１に記載の放送番組録画予約システム。
【請求項８】
前記第一の削除処理に際して、前記記録再生装置が、前記所定の予約情報の削除ができない電源状態だったとき、
前記表示装置は、
前記通信手段を経由して、前記記録再生装置の電源状態を、前記所定の予約情報の削除ができる状態に変更し、その後、前記第一の削除処理を実行する、
ことを特徴とする請求項７に記載の放送番組録画予約システム。
【請求項９】
前記第一の削除処理後、前記表示装置は、
前記通信手段を経由して、前記記録再生装置の電源状態を、予約情報の削除ができない状態に戻す、
ことを特徴とする請求項８に記載の放送番組録画予約システム。
【請求項１０】
前記記録再生装置は、
複数であり、
前記表示装置は、
前記複数の記録再生装置において、前記第一の登録処理を実施する優先度を示す優先順位情報を、予め有しており、
前記優先順位情報に示される最も優先順位の高い前記記録再生装置に対して、前記第一の登録処理を実施する、
ことを特徴とする請求項１に記載の放送番組録画予約システム。
【請求項１１】
前記記録再生装置は、
複数であり、
前記表示装置は、
前記複数の記録再生装置から、予約情報に含まれる記録再生装置識別情報に基づいて、録画予約の削除を実施する前記記録再生装置を検出し、当該検出した記録再生装置に対して、前記第一の削除処理を実施する、
ことを特徴とする請求項７に記載の放送番組録画予約システム。
【発明の詳細な説明】
【技術分野】
【０００１】
この発明は、表示装置と記録再生装置とから成る放送番組録画予約システムに係る発明である。
【背景技術】
【０００２】
従来、デジタルチューナーを有しない放送番組記録再生装置（以下、記録再生装置）に現在放送中のデジタル放送を録画するときや、未来に放送予定のデジタル放送の録画を予約するとき、デジタルチューナーを有する放送番組受信表示装置（以下、表示装置）を操作することで、表示装置上にて録画時間やチャンネル情報などを管理している。そして、実際に録画を行う時間になると表示装置は、Ｉｒ（Ｉｎｆｒａｒｅｄ）システムやｉ−Ｌｉｎｋ等の通信手段を経由して、記録再生装置に電源オン／オフ制御コマンドや録画等の制御コマンドを送信し、記録再生装置側では表示装置から送られてきた映像信号を録画していた。
【０００３】
上述の録画システムでは、表示装置を操作することで録画予約が可能である利点、および録画予約の確認・取り消しなどの予約管理を表示装置上で行えるという利点を持っている。
【０００４】
しかし、上述の録画システムでは、録画実行中において表示装置の放送チャンネルが固定される。このため、チューナーを１つしか有しない表示装置においては、録画している放送チャンネルとは別の放送チャンネルを視聴することができないという欠点を、上述の録画システムは持っている。また、前記欠点を避けるためには、表示装置にチューナーを２つ以上装備する必要があるが、これでは録画システムがかなり高価なものとなる。
【０００５】
また、上述の録画システムでは、録画開始時間に記録再生装置が記録可能な状態かどうかの管理が表示装置側で行えない。このため、録画予約が確実に実行されるかどうかの信頼性が低いという欠点を、上述の録画システムは持っている。
【０００６】
近年、デジタルチューナーを有する記録再生装置が普及し、記録再生装置単体でデジタル放送の録画を行うことが可能となり、上述の各欠点は解決した。しかしながら、当該デジタルチューナーを有する記録再生装置を使用する場合には、将来放送される番組の録画予約の登録、登録した録画予約の確認・取消、および現在放送されている番組の録画等の処理を各々実行する際、当該記録再生装置を操作しなければならない。このため、表示装置の入力の切替や、当該記録再生装置付属のリモコンを使用して当該記録再生装置に対して作業する必要がある。したがって、当該記録再生装置を使用する場合には、ユーザーにとって操作が煩雑になるという問題が発生していた。
【０００７】
ところが、現在放送されている番組の録画等の処理を実行する際の操作が煩雑になるという問題を解決する技術として、特許文献１が存在する。特許文献１に係る技術では、表示装置と記録再生装置間とが、双方向性でのデータの送受信を可能せしめる通信手段（インターフェイス）を介して接続されている。さらに、表示装置側のリモコンを操作することにより、記録再生装置を制御し、視聴中の番組を記録するように構成されている。
【０００８】
また、前記特許文献１に係る技術を応用し、将来放送される番組の録画予約の登録に関しても、表示装置上で録画の予約操作を行い、前記インターフェイスを介して記録再生装置を制御し、記録再生装置側に録画予約の登録を行えるようにした技術も考案されている。
【０００９】
【特許文献１】特開２００５−１８４０７９号公報
【発明の開示】
【発明が解決しようとする課題】
【００１０】
しかし、上記特許文献１等に係る技術においても、以下に示す問題点があった。
【００１１】
すなわち、表示装置上で録画の予約操作を行った結果として記録再生装置に登録されている録画予約を確認しようとした場合、記録再生装置が有する録画予約リストを表示させる必要がある。このため、表示装置の入力画面等を記録再生装置側に切替、記録再生装置の電源をオンにし、さらに録画予約リストを表示させるまでの諸操作を手順に従い順番に記録再生装置に対して行う必要があった（つまり、煩雑な操作が必要であった）。また、録画予約リストを見た後においても、表示装置の入力画面を元に戻す等の煩雑な操作が必要であった。
【００１２】
また、記録再生装置に登録された録画予約を取り消す場合には、表示装置の入力画面等を記録再生装置側に切替、記録再生装置の電源をオンにし、さらに録画予約を取り消すまでの諸操作を手順に従い順番に記録再生装置に対して行う必要があった（つまり、煩雑な操作が必要であった）。
【００１３】
また、表示装置を操作することで録画予約または録画予約取り消しを実施する場合には、予め記録再生装置の電源をオンにし、録画予約または録画予約取り消し処理終了後に、記録再生装置の電源をオフにする、という煩雑作業が必要であった。
【００１４】
また、上記インターフェイスを介して複数の記録再生装置が表示装置と接続されている構成において、予約情報の登録・削除等を行う場合には、当該登録・削除等の処理を施す記録再生装置を、ユーザーが毎回指定する必要があった。
【００１５】
そこで、本発明は、上記各ケースにおいて生じていたユーザーの作業の煩雑さを解消することができる放送番組録画予約システムを提供することを目的とする。
【課題を解決するための手段】
【００１６】
上記の目的を達成するために、本発明に係る請求項１に記載の放送番組録画予約システムは、放送番組を受信し、当該受信した放送番組を表示する表示装置と、前記表示装置を操作する表示装置制御手段と、放送番組を受信し、当該受信した放送番組を記録再生する記録再生装置と、前記表示装置と前記記録再生装置との間における、双方向性でのデータの送受信を可能せしめる通信手段とを、備えており、前記表示装置が有する画面表示を介して録画予約を行う第一の操作が、前記表示装置制御手段において実施されたとき、前記表示装置は、前記通信手段を経由して、前記記録再生装置が有する記録再生装置側録画予約リストに、前記録画予約を登録する第一の登録処理を実施し、前記表示装置が有する表示装置側録画予約リストに、前記録画予約を登録する第二の登録処理を実施する。
そして、前記記録再生装置は、前記通信手段を経由して前記表示装置に、前記記録再生装置側録画予約リストを通知する予約リスト通知処理を実施し、前記表示装置は、前記通知された前記記録再生装置側録画予約リストと、前記表示装置側録画予約リストとを照合する予約リスト照合処理を実施し、前記予約リスト照合処理の結果、前記録画再生装置側録画予約リストに含まれる予約情報と一致しなかった予約情報を、前記表示装置側録画予約リストから削除する。
【発明の効果】
【００１７】
本発明の請求項１に記載の放送番組録画予約システムでは、表示装置が有する画面表示を介して録画予約を行う第一の操作が、表示装置制御手段において実施されたとき、表示装置は、通信手段を経由して、記録再生装置が有する記録再生装置側録画予約リストに、録画予約を登録する第一の登録処理を実施し、表示装置が有する表示装置側録画予約リストに、録画予約を登録する第二の登録処理を実施する。
【００１８】
したがって、表示装置上で録画予約リストを表示させることによって、録画予約の操作を行った結果を確認できる。すなわち、記録再生装置の電源オン操作、および表示装置の入力を切り替えて記録再生装置の録画予約リストを表示させる操作等が、必要でなくなる。したがって、録画予約の結果の確認に際してのユーザーにおける操作の煩雑さを解消することができる。
【発明を実施するための最良の形態】
【００１９】
以下、この発明をその実施の形態を示す図面に基づいて具体的に説明する。
【００２０】
＜実施の形態１＞
図１は、本実施の形態に係る放送番組録画予約システム５００の構成を示すブロック図である。
【００２１】
図１に示すように、放送番組録画予約システム５００は、表示装置１０１、記録再生装置１０２、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）ケーブル（通信手段と把握できる）１０３、表示装置側のリモコン（表示装置制御手段と把握できる）１１４、表示装置側のアンテナ１０４、記録再生装置側のリモコン１３０、および記録再生装置側のアンテナ１２１により、構成されている。
【００２２】
表示装置１０１は、アンテナ１０４を介してデジタル放送番組を受信し、当該受信したデジタル放送番組を表示することができる。当該表示装置１０１を遠隔操作するために、リモコン１１４が設けられている。記録再生装置１０２は、アンテナ１２１を介してデジタル放送番組を受信し、当該受信したデジタル放送番組を記録再生することができる。当該記録再生装置１０２を遠隔操作するために、リモコン１３０が設けられている。
【００２３】
リモコン１１４に対して各種操作を施すことにより、表示装置１０１に対して、ＥＰＧ（Ｅｌｅｃｔｒｉｃ  Ｐｒｏｇｒａｍ  Ｇｕｉｄｅ：電子番組表）や録画予約の一覧の表示、放送番組の選局等を行わせることができる。
【００２４】
表示装置１０１と記録再生装置１０２とは、ＨＤＭＩケーブル１０３を介して接続されている。具体的に、表示装置１０１はＨＤＭＩ部１１６を有し、記録再生装置１０２はＨＤＭＩ部１３２を有している。そして、両ＨＤＭＩ部１１６，１３２間は、ＨＤＭＩケーブル１０３により相互に接続されている。当該ＨＤＭＩケーブル１０３は、表示装置１０１と記録再生装置１０２との間における、双方向性でのデータの送受信を可能とする。
【００２５】
なお、図１に示す構成では、アンテナ１０４は表示装置１０１の外側に設置されており、アンテナ１２１は記録再生装置１０２の外側に設置されている。しかしながら、共通のアンテナから分配して表示装置１０１と記録再生装置１０２とに入力する構成としても良い。
【００２６】
次に、表示装置１０１の内部構成等について詳細に説明する。
【００２７】
表示装置１０１内には、チューナー部１０５、復調・誤り訂正部１０６、デコード部１０７、入力切替部１０８、および映像音声出力部（液晶パネルやスピーカー等から構成されており、以下単に出力部と称する）１０９が配設されている。
【００２８】
さらに、表示装置１０１内には、表示装置１０１全体を制御するＣＰＵ（Ｃｅｎｔｒａｌ  Ｐｒｏｃｅｓｓｉｎｇ  Ｕｎｉｔ：中央演算装置）１１０、ＣＰＵ１１０のプログラムや表示装置側録画予約リスト等を格納した、書き換え可能なＲＯＭ（Ｒｅａｄ−Ｏｎｌｙ  Ｍｅｍｏｒｙ）１１１が配設されている。
【００２９】
さらに、表示装置１０１内には、ＣＰＵ１１０がワークエリアとして使用するＲＡＭ（Ｒａｎｄｏｍ−Ａｃｃｅｓｓ  Ｍｅｍｏｒｙ）１１２、およびＣＰＵ１１０のＣＰＵバス１１３が配設されている。
【００３０】
さらに、表示装置１０１内には、リモコン１１４から出力された赤外線信号を受信するリモコン受光部１１５、ＨＤＭＩインターフェイス部１１６、およびＣＥＣ（Ｃｏｎｓｕｍｅｒ  Ｅｌｅｃｔｒｏｎｉｃｓ  Ｃｏｎｔｒｏｌ）ライン１１７が配設されている。ＣＥＣライン１１７は、ＣＰＵ１１０と接続され、ＨＤＭＩインターフェイス部１１６やＨＤＭＩケーブル１０３を介した、記録再生装置１０２との通信を可能とすることができる。
【００３１】
次に、記録再生装置１０２の内部構成等について詳細に説明する。
【００３２】
記録再生装置１０２内には、チューナー部１２２、復調・誤り訂正部１２３、デコード部１２４、受信した放送番組を記録するための蓄積部１２５が配設されている。
【００３３】
さらに、記録再生装置１０２には、記録再生装置１０２全体を制御するＣＰＵ１２６、ＣＰＵ１２６のプログラムや記録再生装置側録画予約リスト等を格納した、書き換え可能なＲＯＭ１２７、ＣＰＵ１２６がワークエリアとして使用するＲＡＭ１２８、ＣＰＵ１２６のＣＰＵバス１２９が配設されている。
【００３４】
さらに、記録再生装置１０２は、リモコン１３０から出力された赤外線信号を受信するリモコン受光部１３１、記録再生装置１０２に内蔵されたＨＤＭＩインターフェイス部１３２、ＣＥＣライン１３３が配設されている。ここで、ＣＥＣライン１３３は、ＣＰＵ１２６と接続され、ＨＤＭＩインターフェイス部１３２やＨＤＭＩケーブル１０３を介して、表示装置１０１と通信するＣＥＣラインである。
【００３５】
次に、本実施の形態に係る放送番組視聴システムの動作について説明する。
【００３６】
表示装置１０１は、上述したように、外部に接続されたアンテナ１０４から入力されたデジタル放送信号を受信して、表示するデジタル放送対応テレビである。ユーザーがリモコン１１４を操作して、表示装置１０１に対して番組を受信して表示するように指示を与える。すると、リモコン受光部１１５で受信された赤外線信号は、ＣＰＵバス１１３で接続されたＣＰＵ１１０に伝達される。ＣＰＵ１１０は、リモコン受光部１１５で受信した赤外線信号を解釈する。そして、ＣＰＵ１１０は、ＣＰＵバス１１３を介して接続された、表示装置１０１内の各ブロックを制御して受信動作を開始する。
【００３７】
以下、表示装置１０１の番組視聴動作について説明する。
【００３８】
まず、アンテナ１０４から同軸ケーブル等を介して、デジタル放送信号を含んだＲＦ（Ｒａｄｉｏ  Ｆｒｅｑｕｅｎｃｙ）信号が、チューナー部１０５に入力される。チューナー部１０５は入力されたＲＦ信号から必要な信号を抽出して、復調・誤り訂正部１０６に送る。復調・誤り訂正部１０６では、受信した信号から放送のデジタル信号を復元し、誤り訂正等の処理を施した後、デコード部１０７にビットストリームとして送信する。
【００３９】
一般的には、上記ビットストリームは、ＭＰＥＧ（Ｍｏｖｉｎｇ  Ｐｉｃｔｕｒｅ  Ｅｘｐｅｒｔｓ  Ｇｒｏｕｐ）−２トランスポートストリーム（以下ＴＳ）形式である。デコード部１０７では、受信したＴＳから必要なデータを抽出して、映像音声信号を復号する。またこれと共にデコード部１０７は、ＥＩＴ（Ｅｖｅｎｔ  Ｉｎｆｏｒｍａｔｉｏｎ  Ｔａｂｌｅ）を抽出、復号し、復号された各番組のＴＳ−ＩＤ，Ｓｅｒｖｉｃｅ−ＩＤ，Ｅｖｅｎｔ−ＩＤ，開始時刻、番組名などの情報からＥＰＧを構築する。復号された映像音声信号は、入力切替部１０８を通して液晶パネルやスピーカー等から成る出力部１０９で表示される。
【００４０】
また、ユーザーがリモコン１１４等を操作してＥＰＧを表示させる操作を行ったときには、構築されたＥＰＧを出力部１０９で表示させる。さらに、表示部１０９におけるＥＰＧの表示においては、図２のように、予めＲＯＭ１１１に登録されている表示装置側録画予約リストの情報を、ＥＰＧ上の該当する番組欄にアイコンなどの表示を行う。これにより、ユーザーに録画予約状況を知らせることができる。さらには、ユーザーがリモコン１１４等を操作して録画予約の一覧表示を行う操作をしたときには、図３のように、表示装置側録画予約リストを“予約一覧”として出力部１０９で表示させることもできる。
【００４１】
以上が、表示装置１０１を使用した番組視聴動作である。
【００４２】
次に、記録再生装置１０２の動作について説明する。
【００４３】
記録再生装置１０２は、表示装置１０１同様、チューナー部１２２、復調・誤り訂正部１２３、デコード部１２４を有する。さらに、記録再生装置１０２は、蓄積部１２５を有している。当該蓄積部１２５には、記録再生装置側録画予約リストの登録、および登録された録画予約に対応するデジタル放送ビットストリームの記憶を行う。ここで、記録再生装置側録画予約リストは、ＴＳ−ＩＤ，Ｓｅｒｖｉｃｅ−ＩＤ，開始時刻、録画時間などの情報を含む時刻指定録画予約、および、ＴＳ−ＩＤ，Ｓｅｒｖｉｃｅ−ＩＤ，Ｅｖｅｎｔ−ＩＤ，開始時刻、録画時間などの情報を含む番組指定録画予約から構成される。
【００４４】
ＣＰＵ１２６は、前記登録された録画予約に記載された開始時刻になると、チューナー部１２２を制御する。すると、当該制御を受けたチューナー部１２２は、外部に接続されたアンテナ１０４から入力されたデジタル放送信号の内、前記登録された録画予約に記載されたＴＳ−ＩＤ，Ｓｅｒｖｉｃｅ−ＩＤ，Ｅｖｅｎｔ−ＩＤなどの情報に合致した放送を受信する。そして、復調・誤り訂正部１２３、デコード部１２４を介して得られたデジタル放送ビットストリームを、記録再生装置側録画予約リストに記載された録画時間分、蓄積部１２５に記録する。
【００４５】
また、ＣＰＵ１２６は、ＣＰＵバス１２９を介してデコード部１２４を制御し、蓄積部１２５に記録された放送番組を削除することもできる。
【００４６】
さらに本実施の形態では、表示装置１０１と記録再生装置１０２の間で双方向の通信手段として、ＨＤＭＩ規格で規定されたＣＥＣインターフェイスを有する。具体的には、ＣＥＣライン１１７とＨＤＭＩケーブル１０３およびＣＥＣライン１３３をデータ伝送路として、ＣＰＵ１１０とＣＰＵ１２６間で双方向のデータ通信を行い、電源オン・オフ記録や記録開始等のコマンドを送受信する。これにより、表示装置１０１と記録再生装置１０２の間で互いに相手を制御することができる。
【００４７】
図１において、たとえばユーザーが表示装置１０１を使用して、記録再生装置１０２に録画予約を実施する場合の動作について説明する。
【００４８】
まず、ユーザーは、リモコン１１４に対して、表示装置１０１が有する画面表示（出力部１０９）を介して録画予約を行う第一の操作を施す。これにより、記録再生装置１０２に録画予約をさせる指示が、リモコン１１４から表示装置１０１に送信される。録画予約の方法としては、表示装置１０１が有するＥＰＧを介し、またリモコン１１４を操作して、録画したい番組を指定し録画予約をする方法（以下、番組指定予約と記す）の他に、時刻と放送局を指定して録画予約をする方法（以下、時刻指定予約と記す）などがある。
【００４９】
リモコン受光部１１５で受信されたリモコン１１４からの赤外線信号は、ＣＰＵバス１１３で接続されたＣＰＵ１１０に伝達される。指示を受けたＣＰＵ１１０は、ＣＥＣライン１１７を制御して、ＨＤＭＩインターフェイス部１１６およびＨＤＭＩケーブル１０３を介して、最終的に記録再生装置１０２側に録画予約指示コマンドを送信する。
【００５０】
以下、記録再生装置１０２が録画予約可能な状態の場合について説明する。
【００５１】
表示装置１０１から送信された録画予約指示コマンドを受信したＣＰＵ１２６は、ＣＰＵバス１２９を介して、ＲＯＭ１２７に前記録画予約指示コマンドに含まれる録画情報に従って、記録再生装置側録画予約リストに指定された録画予約を登録する（第一の登録処理と把握できる）。さらに、ＣＰＵ１２６は、ＣＰＵバス１２９を介して、記録再生装置１０２側において録画予約ができたことを知らせる録画予約可否通知（可能）コマンドを、表示装置１０１に送信する。
【００５２】
記録再生装置１０２から送信された録画予約可否通知（可能）コマンドを、ＨＤＭＩケーブル１０３等を介してＣＰＵ１１０が受信する。すると、ＣＰＵ１１０は、ＣＰＵバス１１３を介して、ＲＯＭ１１１に格納されている表示装置側録画予約リストに指定された録画予約を登録する（第二の登録処理）。
【００５３】
さらに、ＣＰＵ１１０は、ＣＰＵバス１１３を介して、録画予約が実行されたことをＯＳＤ（Ｏｎ  Ｓｃｒｅｅｎ  Ｄｉｓｐｌａｙ）により表示するように、デコード部１０７に対して命令する。すると、デコード部１０７は、出力部１０９に図４に示すように「記録再生装置１０２への録画予約の登録が完了した」旨を表示する。
【００５４】
上記のように、本来記録再生装置１０２にて管理されている録画予約の情報を、表示装置１０１にも同時に登録する。これにより、表示装置１０１のＥＰＧや予約一覧を出力部１０９において表示させるだけで、記録再生装置１０２に登録されている録画予約の情報もユーザーは確認できる。
【００５５】
まとめると、リモコン１１４に対して第一の操作が施されると、表示装置１０１は、録画予約指示コマンドを記録再生装置１０２側に送信する。当該録画予約指示コマンドの発行を通じて表示装置１０１は、ＨＤＭＩケーブル１０３を経由して、記録再生装置１０２が有する記録再生装置側録画予約リストに、指定の録画予約を登録する第一の登録処理を実施する。さらに、リモコン１１４に対する第一の操作に起因して、表示装置１０１は、表示装置１０１が有する表示装置側録画予約リストに、指定した録画予約を登録する第二の登録処理を実施する。
【００５６】
なお、リモコン１１４に対する第一の操作に起因して、表示装置１０１は、指定された録画予約の情報を画面表示（出力部１０９）に表示させても良い。具体的に、ＣＰＵ１１０は、ＣＰＵバス１１３を介して、指定された録画予約の情報をＯＳＤにより表示するように、デコード部１０７に対して命令する。すると、デコード部１０７は、出力部１０９に、たとえば、図２において前記指定された録画予約に対して録画予約を示すアイコンの追記を行った表示を行ったり、図３の一覧に前記指定された録画予約情報を追記する表示を行う。
【００５７】
＜第一の登録処理および第二の登録処理＞
図５は、本実施の形態１における表示装置１０１による録画予約を行ったときの、表示装置１０１と記録再生装置１０２の詳細動作を説明するフローチャートである。
【００５８】
図５において、左側は表示装置１０１の動作を示し、右側は記録再生装置１０２の動作を示している。また図５において、点線は、ＣＥＣライン１１７、ＨＤＭＩインターフェイス部１１６、ＨＤＭＩケーブル１０３、ＨＤＭＩインターフェイス部１３２、およびＣＥＣライン１３３を介して送受信される、表示装置１０１−記録再生装置１０２間のデータ通信（以下、ＣＥＣ通信と呼ぶ）を示している。
【００５９】
まず、ユーザーが表示装置１０１のリモコン１１４を使用して、録画予約の操作を実施する（Ｓ３０１）。すると、表示装置１０１は、ユーザーが指定した録画予約の内容を一時的に記憶（以下、当該記憶された内容をユーザー指定録画予約内容と記す）しておく（Ｓ３０２）。さらに、表示装置１０１は、記録再生装置１０２に対して、記録再生装置１０２の録画予約機能を有効にするための記録再生装置１０２の電源オン処理を行う（Ｓ３０３）。以下、記録再生装置１０２の電源オン処理について説明する。
【００６０】
＜記録再生装置の電源オン処理＞
図６は、記録再生装置１０２の電源オン処理時（Ｓ３０３）における、表示装置１０１と記録再生装置１０２の詳細動作を示すフローチャートである。つまり、図６は、上記第一の登録処理を行う際に、記録再生装置１０２が、前記録画予約の登録できない電源状態だったときの、一連の処理を説明するフローチャートである。
【００６１】
まず、表示装置１０１は、記録再生装置１０２に対して、ＣＥＣ通信で記録再生装置１０２の電源の状態を通知させる電源状態要求コマンドを送信する（Ｓ４０１）。記録再生装置１０２は、表示装置１０１から電源状態要求コマンドを受信する（Ｓ４０２）。すると、記録再生装置１０２は、自機の電源の状態を判断する（Ｓ４０３）。記録再生装置１０２は、記録再生装置１０２の電源の状態を通知すべく、記録再生装置電源状態通知コマンドを、表示装置１０１に対して送信する（Ｓ４０４、Ｓ４０５）。
【００６２】
ここで、記録再生装置の電源状態として、「オン」、「オフ」、「オフからオンへの過渡期間」、および「オンからオフへの過渡期間」の４つの状態を持つ場合について記述する。この場合、記録再生装置電源状態通知コマンドのパラメータとしては、録画予約の登録処理ができない状態のとき、すなわち電源オフ時は「オフ」、録画予約の登録処理ができる状態のとき、すなわち電源オン時は「オン」、電源オフからオンになる最中は「オフからオン」などとなる（以下、それぞれのパラメータを持った記録再生装置電源状態通知コマンドを「記録再生装置電源状態通知（オン）」、「記録再生装置電源状態通知（オフ）」などと記す）。
【００６３】
表示装置１０１は、記録再生装置１０２から記録再生装置電源状態通知コマンドが、送信されてきたかどうかを監視している（Ｓ４０６）。表示装置１０１は、記録再生装置１０２から記録再生装置電源状態通知を受信し、当該受信のパラメータが「オフ」であったとする（Ｓ４０７で「ＹＥＳ」）。この場合には、記録再生装置１０２の電源をオンさせるべく、記録再生装置電源オン指示コマンドを記録再生装置１０２に対して送信する（Ｓ４０８）。つまり、表示装置１０１は、ＣＥＣ通信を通じて、記録再生装置１０２の電源状態を、録画予約の登録できる状態に変更させるために、上記記録再生装置電源オン指示コマンドを送信する。その後、表示装置１０１は、記録再生装置１０２からの記録再生装置電源状態通知（オン）コマンドを監視する（Ｓ４１２）。
【００６４】
記録再生装置１０２は、表示装置１０１から、記録再生装置電源オン指示コマンドを受信する（Ｓ４０９）。すると、記録再生装置１０２の電源をオンにする（Ｓ４１０）。さらに、記録再生装置１０２は、記録再生装置１０２の電源の状態がオンである通知をするために、記録再生装置電源状態通知（オン）コマンドを表示装置１０１に対して送信する（Ｓ４１１）。
【００６５】
表示装置１０１は、記録再生装置１０２から、記録再生装置電源状態通知（オン）コマンドを受信する（Ｓ４１２で「ＹＥＳ」）。これにより、表示装置１０１による、記録再生装置電源オン処理を終了し、次の動作に移る。
【００６６】
以上が、記録再生装置電源オン処理についての説明である。図５に話を戻す。
【００６７】
＜第一の登録処理および第二の登録処理の続き＞
表示装置１０１は、引き続き記録再生装置１０２に対して、上記第一の登録処理のために、前記ユーザー指定録画予約内容を含む録画予約指示コマンドを送信する（Ｓ３０４）。ここで、前記録画予約指示コマンドの具体的内容としては、番組指定予約の場合、番組を特定できる情報（すなわちＴＳ−ＩＤ，Ｓｅｒｖｉｃｅ−ＩＤ、Ｅｖｅｎｔ−ＩＤ，開始時刻、録画時間の録画情報を含む番組指定予約指示コマンド）であり、時刻指定予約の場合、ＴＳ-ＩＤ，Ｓｅｒｖｉｃｅ−ＩＤ，開始時刻、録画時間の録画情報を含む時刻指定予約指示コマンドである。
【００６８】
記録再生装置１０２では、表示装置１０１から録画予約指示コマンドを受信する（Ｓ３０５）。すると、記録再生装置１０２が、自機が有する記録再生装置側録画予約リストに対して、録画予約が可能かどうかを判断する（Ｓ３０６）。
【００６９】
記録再生装置１０２が録画予約が可能であると判断した場合（Ｓ３０６で「ＹＥＳ」）、上記記録再生装置側録画予約リストに、録画予約指示コマンドによってユーザーに指定された録画予約を登録（第一の登録処理）する（Ｓ３０７）。その後、記録再生装置１０２は、表示装置１０１に対して、録画予約が可能である通知をするために、録画予約可否通知（可能）コマンドを送信する（Ｓ３０８）。
【００７０】
これに対して、記録再生装置１０２が録画予約が不可であると判断した場合（Ｓ３０６で「ＮＯ」、記録再生装置１０２は、録画予約が不可である通知をするために、録画予約可否通知（不可）コマンドを表示装置１０１に対して送信する（Ｓ３０９）。録画予約を不可と判断する内容には、記憶容量不足や録画予約重複などがある。なお、記録再生装置１０２は、録画予約可否通知（不可）コマンドの送信と同時に、前記例示した録画予約が不可である理由（以下、不可理由通知と記す）を送信することもできる。
【００７１】
Ｓ３０４の後、表示装置１０１は、記録再生装置１０２からの録画予約可否通知コマンドを監視している（Ｓ３１０）。表示装置１０１が、記録再生装置１０２から録画予約が可能である録画予約可否通知（可能）コマンドを受信する（Ｓ３１１で「ＹＥＳ」）。すると、表示装置１０１は、自機が有する表示装置側録画予約リストに、前記ユーザー指定録画予約内容を登録（第二の登録処理）する（Ｓ３１２）。その後、表示装置１０１は、録画予約が実行されたことを、図４に示したようにＯＳＤにより出力部１０９に対して表示する（Ｓ３１３）。
【００７２】
これに対して、表示装置１０１が、記録再生装置１０２から録画予約が不可である録画予約可否通知（不可）コマンドを受信したとする（Ｓ３１１で「ＮＯ」）。すると、表示装置１０１は、録画予約が不可能であったことを、図７に示すようにＯＳＤにより出力部１０９に対して表示する（Ｓ３１４）。このとき、同時に不可理由通知を受信した場合、表示装置１０１は、録画予約が不可である理由をＯＳＤにより出力部１０９に表示することもできる。
【００７３】
上記のように、表示装置１０１側のリモコン１１４の操作のみで、記録再生装置１０２の電源制御、上記第一の登録処理および上記第二の登録処理を行い、かつ、その登録処理の結果の確認も出力部１０９を通じてできる。これにより、ユーザーは、記録再生装置１０２側の操作がまったく不要となる。すなわち、表示装置１０１の入力を記録再生装置１０２接続ポートに切替たり、記録再生装置１０２の電源を入れたり、記録再生装置１０２の録画予約の操作を行ったりする手間が省けることになる。
【００７４】
上記の例では、記録再生装置１０２からの録画予約可否通知（可能）コマンドによって、表示装置１０１が一時的に保持しているユーザー指定録画予約内容を、表示装置側録画予約リストに登録した。しかしながら、次のような別の方法により、第二の登録処理であっても良い。つまり、記録再生装置１０２が録画予約可能なときの応答として、記録再生装置１０２に登録された録画予約の内容（すなわち、ＴＳ−ＩＤ，Ｓｅｒｖｉｃｅ−ＩＤ、Ｅｖｅｎｔ−ＩＤ，開始時刻、録画時間などの情報）を、特定のコマンドを用いて表示装置１０１に送信する。そして、表示装置１０１は、当該特定のコマンドの情報を元に、録画予約を表示装置側録画予約リストに登録する。当該別の方法によっても、上述した内容と同様の目的を達せられる。
【００７５】
なお、当該別の方法の場合は、表示装置１０１側でユーザー指定録画予約内容を一時的に保持しておく必要は無いことはいうまでも無い。また、前記特定のコマンドは、前記録画予約可否通知コマンドそのものであっても良く、別のコマンドであっても良い。別のコマンドの場合は、前記録画予約可否通知（可能）コマンドを受信したときの表示装置１０１の動作としては、録画予約が実行されたことをＯＳＤにより出力部１０９に表示することだけとなる。そして、当該別のコマンドの受信により、表示装置１０１はＳ３１２の第二の登録処理を実施する。
【００７６】
＜第一の削除処理および第二の削除処理＞
図８は、表示装置１０１による録画予約取り消しの動作を説明するフローチャートである。
【００７７】
まず、ユーザーは、表示装置１０１のリモコン１１４に対して、表示装置側録画予約リストにおける所定の予約情報を削除する第二の操作を施す（Ｓ５０１）。たとえば、図３に示す一覧表を出力部１０９に表示させ、表示装置側録画予約リストに登録されている録画予約の中から、取り消したい録画予約をリモコン１１４を操作することにより指定する。
【００７８】
前記第二の操作がリモコン１１４に対して実施されたとき、表示装置１０１は、ユーザーが指定した録画予約を一時的に記憶（以下、当該記憶された内容をユーザー指定録画予約と記す）しておく（Ｓ５０２）。さらに、表示装置１０１は、記録再生装置１０２に対して、記録再生装置の録画予約機能を有効にするための記録再生装置電源オン処理を行う（Ｓ５０３）。
【００７９】
ここで、当該Ｓ５０３の動作は、上述したＳ３０３のフロー内容と同様である。たとえば、記録再生装置側録画予約リストから指定された予約情報を削除する（第一の削除処理）に際して、記録再生装置１０２が、予約情報の削除ができない電源状態だったとする（Ｓ４０３で「ＮＯ」）。このとき、表示装置１０１が、ＣＥＣ通信を通じて、記録再生装置１０２の電源状態を予約情報の削除ができる状態に変更する（Ｓ４０５からＳ４１２）。
【００８０】
表示装置１０１は、Ｓ５０３の後、引き続き記録再生装置１０２に対して録画予約取り消し指示コマンドを送信する（Ｓ５０４）。ここで、当該録画予約取り消し指示コマンドは、ユーザーが取り消し操作を行った録画予約を特定する情報が含まれている。より具体的には、取り消し操作の対象が番組指定予約の場合には、ＴＳ−ＩＤ，Ｓｅｒｖｉｃｅ−ＩＤ、Ｅｖｅｎｔ−ＩＤ，開始時刻、録画時間の録画情報を含む番組指定予約取り消し指示コマンドが、録画予約を特定する情報である。また、時刻指定予約の場合には、ＴＳ-ＩＤ，Ｓｅｒｖｉｃｅ−ＩＤ，開始時刻、録画時間の録画情報を含む時刻指定予約取り消し指示コマンドが、録画予約を特定する情報である。
【００８１】
さらに、表示装置１０１は、記録再生装置１０２からの録画予約の取り消しができたかどうかを知らせる予約取り消し可否通知コマンドを監視する（Ｓ５１０）。ここで、当該予約取り消し可否通知コマンドのパラメータとしては、取り消し可能なときは、「可能」、取り消し不可能なときは、「不可」となる。
【００８２】
記録再生装置１０２は、表示装置１０１から録画予約取り消し指示コマンドを受信する（Ｓ５０５）。すると、記録再生装置１０２は、当該コマンドによって特定される録画予約が、削除できるかどうかを判断する（Ｓ５０６）。
【００８３】
記録再生装置１０２が、記録再生装置側録画予約リスト内に特定される録画予約と一致する録画予約があり、削除可能と判断したとする（Ｓ５０６で「ＹＥＳ」）。この場合には、記録再生装置１０２は、記録再生装置側録画予約リストから、前記録画予約取り消し指示コマンドによって特定される録画予約を削除（第一の削除処理）する（Ｓ５０７）。つまり、表示装置１０１は、ＣＥＣ通信を通じて、記録再生装置側録画予約リストから、上記録画予約情報を削除する。そして、記録再生装置１０２は、録画予約取り消しが可能であることを知らせるべく、予約取り消し可否通知（可能）コマンドを表示装置１０１に対して送信する（Ｓ５０８）。
【００８４】
これに対して、録画予約の削除動作ができない状態であったり、記録再生装置側録画予約リスト内に特定される録画予約と一致する録画予約がないなどの理由で削除できないと判断したとする（Ｓ５０６で「ＮＯ」）。この場合、記録再生装置１０２は、録画予約取り消しが不可であることを知らせるべく、予約取り消し可否通知（不可）コマンドを表示装置１０１に対して送信する（Ｓ５０９）。
【００８５】
表示装置１０１が、記録再生装置１０２から予約取り消し可否通知（可能）コマンドを受信する（Ｓ５１０で「ＹＥＳ」→Ｓ５１１で「ＹＥＳ」）。すると、表示装置１０１が有する表示装置側録画予約リストから、前記ユーザー指定録画予約を削除（第二の削除処理）する（Ｓ５１２）。そして、表示装置１０１は、上記第一、二の削除処理が実施されたことを、ＯＳＤにより出力部１０９に対して表示する（Ｓ５１３）。
【００８６】
これに対して、表示装置１０１が、記録再生装置１０２から予約取り消し可否通知（不可）コマンドを受信したとする（Ｓ５１０で「ＹＥＳ」→Ｓ５１１で「ＮＯ」）。すると、表示装置１０１は、上記第一、二の削除処理が実施されなかったことを、ＯＳＤにより出力部１０９に対して表示する（Ｓ５１４）。
【００８７】
上記の説明では、録画予約取り消し指示コマンドの内容として、録画予約の時刻や番組を特定する情報が含まれているとした。しかし、表示装置１０１と記録再生装置１０２の双方で有する録画予約が１対１で対応付けられる情報であれば良い。たとえば、録画予約の登録時に録画予約ごとに固有の値を持つ管理番号を付け、双方の録画予約リストを当該管理番号で管理することができる場合は、録画予約取り消し指示コマンドの内容として、当該管理番号を含ませるだけでも同様の取り消し処理ができる。
【００８８】
表示装置１０１による録画予約の時刻変更を行ったときも、上記の動作と同様に行うことができる。すなわち、ユーザーがリモコン１１４を介して表示装置１０１を操作し、録画予約の変更を行ったとする。このとき、表示装置１０１は、上記の録画予約取り消し指示コマンドの代わりに、録画予約変更指示コマンドを記録再生装置１０２に送信する。ここで、当該録画予約変更指示コマンドの内容としては、前記管理番号と、変更後の時刻指定予約に関する情報（ＴＳ-ＩＤ，Ｓｅｒｖｉｃｅ−ＩＤ，開始時刻、録画時間の録画情報）とを含む。記録再生装置１０２は、当該録画予約変更指示コマンドを受信したら、該当する管理番号の録画予約を受信コマンドの内容に従って、当該録画予約変更を実施すれば良い。
【００８９】
また、前記管理番号による管理ができない場合には、ユーザーが録画予約の変更を行うときに、変更前の録画予約を取り消した上で、変更後の録画予約を新規で登録する、という方法でも録画予約変更することが可能である。
【００９０】
上記のように、記録再生装置１０２にて登録されたり取り消されたりした録画予約の内容を、表示装置１０１側でも同時に保持している。これによって、記録再生装置１０２の操作を直接せずに、表示装置１０１に登録されている録画予約に対して操作するだけで、記録再生装置１０２に対する録画予約の登録および録画予約の取り消しの操作を行うことができる。
【００９１】
ところで、表示装置側録画予約リストと記録再生装置側録画予約リストの内容が、一致しない事態も発生しうる。当該事態は、たとえば、表示装置１０１を操作して録画予約の登録や録画予約取り消し操作を行った直後に、表示装置の電源が切れてしまい、記録再生装置１０２からの録画予約可否通知や予約取り消し可否通知が受け取れなかった場合や、表示装置１０１の電源が切れている間に、記録再生装置１０２側の単独動作で録画予約が登録／取り消しされた場合などに、発生する。
【００９２】
当該事態を回避するために、表示装置１０１の起動時や記録再生装置１０２の起動時などに、表示装置側録画予約リストと記録再生装置側録画予約リストとを照合する予約リスト照合処理を実施することが望ましい。
【００９３】
＜予約リスト照合処理＞
図９は、表示装置１０１の電源起動時における、予約リスト照合処理の動作を説明するフローチャートである。
【００９４】
まず、ユーザーが、表示装置１０１の電源を起動させる（Ｓ６０１）。すると、表示装置１０１は、記録再生装置１０２に対して、記録再生装置電源オン処理を行う（Ｓ６０２）。
【００９５】
ここで、当該Ｓ６０２の動作は、上述したＳ３０３のフロー内容と同様である。たとえば、上記予約リスト照合処理に際して、記録再生装置１０２が、表示装置１０１へ記録再生装置側録画予約リストの通知ができない電源状態だったとする（Ｓ４０３で「ＮＯ」）。このとき、表示装置１０１が、ＣＥＣ通信を通じて、記録再生装置１０２の電源状態を、記録再生装置側録画予約リストの通知ができる状態に変更する（Ｓ４０５からＳ４１２）。
【００９６】
上記Ｓ６０２の後、表示装置１０１は、録画予約情報要求を送信する（Ｓ６０３）。記録再生装置１０２は、表示装置１０１から録画予約情報要求を受信すると（Ｓ６０４）、ＣＥＣ通信を通じて、表示装置１０１に対して記録再生装置側録画予約リストを送信（通知）する（Ｓ６０５：予約リスト通知処理）。
【００９７】
表示装置１０１は、記録再生装置１０２から、記録再生装置側録画予約リストを受信する（Ｓ６０６）。すると、表示装置１０１は、前記通知された記録再生装置側録画予約リストと、表示装置１０１が有する表示装置側録画予約リストとを照合する（Ｓ６０７：予約リスト照合処理）。
【００９８】
予約リスト照合処理の結果、表示装置１０１は、録画再生装置側録画予約リストに含まれる予約情報と一致しなかった予約情報を、表示装置側録画予約リストから削除する（Ｓ６０８）。
【００９９】
なお上記では、表示装置１０１の起動時の動作について説明した。しかし、記録再生装置１０２の起動時には、記録再生装置１０２が主体的に表示装置１０１に対して録画予約リストを送信すれば良い。
【０１００】
また、本実施の形態では、表示装置１０１と記録再生装置１０２との間で双方向の通信手段として、ＨＤＭＩ規格で規定されたＣＥＣインターフェイスを用いる場合を想定して記述した。しかしながら、本実施の形態の中で登場した録画予約指示、可否通知などの情報の伝達が可能な双方向の通信手段であればその他のものでも良い。たとえば、双方向の無線通信を用いても良く、あるいは、それぞれのコマンドに相当する制御線を接続し、「Ｈ」、「Ｌ」などの電圧で制御する方法などでも良い。
【０１０１】
以上のように、本実施の形態に係る放送番組録画予約システム５００では、表示装置１０１と記録再生装置１０２とが、双方向性でのデータの送受信を可能とするために、ＨＤＭＩケーブル１０３で接続されている。そして、録画予約を行う第一の操作がリモコン１１４において実施されたとき、表示装置１０１は、上記第一の登録処理および上記第二の登録処理を実施する。
【０１０２】
したがって、記録再生装置側録画予約リストへの録画予約の登録および表示装置側録画予約リストへの録画予約の登録が、簡単な上記第一の操作で行える。
【０１０３】
また、本実施の形態に係る放送番組録画予約システム５００では、リモコン１１４に対して、上記第一の操作が実施されたとき、表示装置１０１は、録画予約の情報を出力部１０９に表示する（図２，３参照）。
【０１０４】
したがって、リモコンに対する簡単な上記第一の操作のみで、録画予約の登録だけでなく、登録された録画予約の閲覧をも行え、結果としてユーザにおける操作の煩雑さを解消することができる。つまり、ユーザの利便性を向上させることができる放送番組録画予約システム５００を提供することができる。
【０１０５】
また、本実施の形態に係る放送番組録画予約システム５００では、記録再生装置１０２は、ＨＤＭＩケーブル１０３を経由して表示装置１０１に、記録再生装置側録画予約リストを通知する。そして、表示装置１０１は、記録再生装置側録画予約リストと表示装置側録画予約リストとを照合する。そして、表示装置１０１は、録画再生装置側録画予約リストに含まれる予約情報と一致しなかった予約情報を、表示装置側録画予約リストから削除する。
【０１０６】
したがって、記録再生装置１０２側の都合で登録された録画予約が変更または削除された場合でも、表示装置１０１はその変化に追従し、正確な録画予約リストを表示装置１０１側で有することができる。
【０１０７】
また、本実施の形態に係る放送番組録画予約システム５００では、第一の登録処理に際して、表示装置１０１は、ＨＤＭＩケーブル１０３を経由して、記録再生装置１０２の電源状態を録画予約の登録できる状態に変更する。または、表示装置１０１の起動後、予約リスト照合処理に際して、表示装置１０１は、ＨＤＭＩケーブル１０３を経由して、記録再生装置１０２の電源状態を記録再生装置側録画予約リストの通知ができる状態に変更する。または、第一の削除処理に際して、表示装置１０１は、ＨＤＭＩケーブル１０３を経由して、記録再生装置１０２の電源状態を所定の予約情報の削除ができる状態に変更する。
【０１０８】
このように、上記各処理に際して表示装置１０１は、自動的に記録再生装置１０２の電源をオン状態にする。このため、上記各処理に際して記録再生装置１０２の電源をわざわざオン状態にする操作が不要となる。当該観点においても、ユーザーの利便性を向上させることができる。
【０１０９】
また、本実施の形態に係る放送番組録画予約システム５００では、リモコン１１４に対して上記第二の操作が実施されたとき、表示装置１０１は、上記第一の削除処理および上記第二の削除処理を実施する。
【０１１０】
このように、簡単な上記第二の操作のみで、記録再生装置１０２に登録された録画予約を取消、表示装置１０１に登録された録画予約をも取り消すことが可能である。したがって、表示装置１０１の入力切替、記録再生装置１０２の録画予約取り消し操作を別途行う必要がなくなり、録画予約の取消処理においても、ユーザーの操作の煩雑が解消される。当該観点においても、ユーザーの利便性を向上させることができる。
【０１１１】
＜実施の形態２＞
実施の形態１では、第一の登録処理を行う際して、第一の削除処理に際して、または予約リスト照合処理に際して、記録再生装置１０２の電源をオンする処理を行っていた。本実施の形態では、省エネの観点から、第一の登録処理を行った後、第一の削除処理後、または予約リスト照合処理後に、自動的に記録再生装置１０２の電源を元通りオフするようにする技術について説明する。
【０１１２】
図１０は、本発明実施の形態２に係る放送番組録画予約システム５００の動作を説明するフローチャートである。なお、図１０では、一例として、予約情報登録時について説明するが、他の予約情報削除時や予約リスト照合処理時においても、図１０のフローと同内容のフローが成立する。
【０１１３】
また、図５と図１０との比較から分かるように、図１０には、図５の工程に加えて、Ｓ８１５からＳ８１８の工程が含まれている。つまり、図１０のＳ８０１からＳ８１４までの工程は、図５のフローと同様である。ただし、後述するように、Ｓ８０３の具体的なフローは、図５のＳ３０３のフロー内容と若干異なる。後述する図１１では、図６のフローに加えてステップＳ９０７が追加されている。
【０１１４】
実施の形態１において図５を用いて説明したように、ユーザーが表示装置１０１のリモコン１１４を使用して、録画予約の操作を実施する（Ｓ８０１）。すると、表示装置１０１は、ユーザーが指定した録画予約の内容を一時的に記憶しておく（Ｓ８０２）。さらに、表示装置１０１は、記録再生装置１０２に対して、記録再生装置１０２の録画予約機能を有効にするための記録再生装置１０２の電源オン処理を行う（Ｓ８０３）。
【０１１５】
図１１は、本実施の形態に係る記録再生装置の電源オン処理時（Ｓ８０３）における、表示装置１０１と記録再生装置１０２の詳細動作を示すフローチャートである。
【０１１６】
図１１のＳ９０１からＳ９０６までのフローは、図６のＳ４０１からＳ４０６までフローと同じである。さて、表示装置１０１から記録再生装置１０２に対して電源状態要求コマンドを送信した後（Ｓ９０１）、記録再生装置１０２から記録再生装置電源状態通知コマンドを受信したとき（Ｓ９０６）、本実施の形態では、当該受信コマンドのパラメータ（オン／オフ）に応じて、表示装置１０１のＲＡＭ１１２に「記録再生装置電源元の状態」（＝オン／オフ）を記録する（Ｓ９０７）。その後のＳ９０８からＳ９１３までのフローは、図６のＳ４０７からＳ４１２までのフローと同じである。
【０１１７】
図１０に話に戻り、記録再生装置１０２の電源オン処理（Ｓ８０３）終了後、Ｓ８０４からＳ８１４までのフローが実施される。ここで、Ｓ８０４からＳ８１４までのフローは、図５に示したＳ３０４からＳ３１４までのフローと同じである。
【０１１８】
Ｓ８１４の後、表示装置１０１は、表示装置１０１のＲＡＭ１１２に記憶されている「記録再生装置電源元の状態」が、「オフ」か否かを判断する（Ｓ８１５）。そして、「記録再生装置電源元の状態」が、「オフ」である場合には（Ｓ８１５で「ＹＥＳ」）、表示装置１０１は、記録再生装置１０２の電源をオフさせるべく、記録再生装置電源オフ指示コマンドを記録再生装置１０２に対して送信し（Ｓ８１６）、処理を終了する。つまり、第一の登録処理を行った後、表示装置１０１は、ＣＥＣ通信を通じて、記録再生装置１０２の電源状態を録画予約の登録できない状態に戻すため、記録再生装置電源オフ指示コマンドを送信する。
【０１１９】
なお、「記録再生装置電源元の状態」が、「オフ」でない場合には（Ｓ８１５で「ＮＯ」）、Ｓ８１６を実施すること無く、表示装置１０１は処理を終了する。
【０１２０】
記録再生装置１０２は、表示装置１０１から、記録再生装置電源オフ指示コマンドを受信する（Ｓ８１７）。すると、記録再生装置１０２は、記録再生装置１０２の電源をオフする（Ｓ８１８）。
【０１２１】
本実施の形態では、ユーザーが録画予約の登録操作を行った場合の動作について説明した。しかしながら、本実施の形態の特徴的なフロー（Ｓ８１５からＳ８１８、Ｓ９０７）は、ユーザーが表示装置１０１を操作して録画予約取り消し操作や録画予約時刻変更操作を行った場合、または上記予約リスト照合処理を行った場合においても、同様に成立する。
【０１２２】
簡単に述べると、上記第一の削除処理実行前に、図８に示したＳ５０１からＳ５０３の工程を実施する。ここで、本実施の形態ではＳ５０３において、図１１のフロー（図６にＳ８０９（表示装置１０１のＲＡＭ１１２に「記録再生装置電源元の状態」（＝オン／オフ）を記録するステップ）が追加されたフロー）を実施する。そして、上記第一、二の削除処理（Ｓ５０４からＳ５１４までフロー）後、表示装置１０１は、ＣＥＣ通信を通じて、記録再生装置１０２の電源状態を予約情報の削除ができない状態に戻す（Ｓ８１５からＳ８１８）。つまり、ＲＡＭ１１２に記録されている「記録再生装置電源元の状態」が「オフ」ならば、表示装置１０１は、記録再生装置１０２に対して記録再生装置電源オフ指示コマンドを送信して、記録再生装置の電源をオフする。
【０１２３】
また、簡単に述べると、上記予約リスト照合処理実行前に、図９に示したＳ６０１およびＳ６０２の工程を実施する。ここで、本実施の形態ではＳ６０２において、図１１のフロー（図６にＳ８０９（表示装置１０１のＲＡＭ１１２に「記録再生装置電源元の状態」（＝オン／オフ）を記録するステップ）が追加されたフロー）を実施する。そして、上記予約リスト照合処理（Ｓ６０３からＳ６０８までフロー）後、表示装置１０１は、ＣＥＣ通信を通じて、記録再生装置１０２の電源状態を予約リストの通知ができない状態に戻す（Ｓ８１５からＳ８１８）。つまり、ＲＡＭ１１２に記録されている「記録再生装置電源元の状態」が「オフ」ならば、表示装置１０１は、記録再生装置１０２に対して記録再生装置電源オフ指示コマンドを送信して、記録再生装置の電源をオフする。
【０１２４】
ここで、実施の形態１，２で言及する記録再生装置１０２の電源状態のオン・オフは、記録再生装置１０２本体全体の主電源のオン・オフのみでなく、記録再生装置１０２の電源状態を録画予約の登録できる状態・登録できない状態への変更、記録再生装置１０２の電源状態を記録再生装置側録画予約リストの表示装置１０１側への通知ができる状態・通知ができない状態への変更、および記録再生装置１０２の電源状態を予約情報の削除ができる状態・削除できない状態への変更をも含むものとする（主電源のオン・オフに対して、前記状態の変更を副電源のオン・オフと称する）。
【０１２５】
当該副電源のオンとは、ある動作のために必要な、記録再生装置１０２の部分的な機能だけを、有効にする電源操作であり、当該副電源のオフとは、前記ある動作の完了後、記録再生装置１０２の前記部分的な機能だけを、無効にする電源操作である。たとえば録画予約の登録の場面において、副電源のオンとは、記録再生装置１０２の一部のブロック回路の電源がオフ状態であるために、録画予約の登録ができない状態において、当該一部のブロック回路の電源をオン状態に変更することであり、副電源のオフとは、録画予約の登録後、記録再生装置１０２の前記一部のブロック回路の電源をオフ状態にし、録画予約の登録ができない状態に変更することである。
【０１２６】
以上のように、本実施の形態に係る放送番組録画予約システム５００では、第一の登録処理を行った後、表示装置１０１は、ＨＤＭＩケーブル１０３を経由して、記録再生装置１０２の電源状態を録画予約の登録できない状態に戻す。または、予約リスト照合処理後、表示装置１０１は、ＨＤＭＩケーブル１０３を経由して、記録再生装置１０２の電源状態を記録再生装置側録画予約リストの通知ができない状態に戻す。または、第一の削除処理後、表示装置１０１は、ＨＤＭＩケーブル１０３を経由して、記録再生装置１０２の電源状態を予約情報の削除ができない状態に戻す。
【０１２７】
このように、上記各処理後に自動的に、記録再生装置１０２の電源状態がオフに変更される。したがって、ユーザーによる当該オフ等の煩雑な操作をせずに済み、かつ記録再生装置１０２の省エネ効果も有する。
【０１２８】
＜実施の形態３＞
本実施の形態では、一台の表示装置１０１に対して複数の記録再生装置１０２が、ＣＥＣ通信を通じて接続される場合について説明する。図１２は、本実施の形態に係る放送番組録画予約システム７００の構成を示す図である。
【０１２９】
図１２に示す構成では、３台の記録再生装置１０２ａ，１０２ｂ，１０２ｃが、ＨＤＭＩケーブル１０３を介して各々、一台の表示装置１０１と接続されている。したがって、各記録再生装置１０２ａ〜１０２ｃは、表示装置１０１と双方向性の通信の送受信を行うことができる。
【０１３０】
さて、図１２の構成において、第一の登録処理を実行する場合の動作を説明する。
【０１３１】
表示装置１０１には、優先順位情報が予め設定されている。ここでの当該優先順位情報とは、複数の記録再生装置１０２において、前記第一の登録処理を実施する順序（優先度）を示す情報である。たとえば、当該優先順位情報において、記録再生装置１０２ｂの優先順位が最も高いとする。
【０１３２】
実施の形態１で説明した第一の登録処理において、表示装置１０１は、まず自機が有する上記優先順位情報を自動的に判別する。そして、表示装置１０１は、当該優先順位情報に従い、第一の登録処理を実施する優先度の最も高い記録再生装置１０２を検出する。ここでは、表示装置１０１は、記録再生装置１０２ｂを検出することとなる。ここで、第二の登録処理（表示装置側録画予約リストへの登録処理）を行う場合には、記録再生装置を識別できる情報（以下、記録再生装置識別情報と記す）を合わせて記録する。ここでは、上記記録再生装置１０２ｂの記録再生装置識別情報を記憶する。
【０１３３】
なお、表示装置１０１においてＥＰＧや予約一覧表示などで録画予約状況を表示する際は、表示装置側録画予約リストに登録されている全ての録画予約を表示すれば良い。
【０１３４】
上記では、第一の登録処理の場合について説明した。次に、第一の削除処理の場合の動作を説明する。
【０１３５】
表示装置側録画予約リストに登録されている予約情報には、前述の通り、記録再生装置識別情報が含まれている。たとえば、削除しようとする録画予約に記録再生装置１０２ｃの記録再生装置識別情報が含まれていた場合について説明する。
【０１３６】
実施の形態１で説明した第一の削除処理において、削除を実施する録画予約に含まれる記録再生装置識別情報から、録画予約が登録された記録再生装置を検出する。ここでは、表示装置１０１は、記録再生装置１０２ｃを検出することとなる。その後、表示装置１０１と記録再生装置１０２ｃとの間で、実施の形態１で説明した一連の処理（たとえば、記録再生装置１０２ｃの電源状態オン処理、第一の削除処理、第二の削除処理および記録再生装置１０２ｃの電源状態オフ処理等）が実施される。
【０１３７】
以上のように、本実施の形態に係る放送番組録画予約システム７００では、記録再生装置１０２ａ〜１０２ｃは、複数である。そして、表示装置１０１は、複数の記録再生装置１０２ａ〜１０２ｃにおいて、第一の登録処理を実施する優先度を示す優先順位情報を、予め有している。そして、表示装置１０１は、優先順位情報に示される最も優先順位の高い記録再生装置１０２ａ〜１０２ｃに対して、第一の登録処理を実施する。
【０１３８】
また、第一の削除処理を実施する場合には、予約情報に含まれる記録再生装置識別情報から、録画予約の削除を実施する記録再生装置を検出し、第一の削除処理を実施している。
【０１３９】
したがって、複数の記録再生装置１０２ａ〜１０２ｃが表示装置１０１に接続されていた場合において、第一の登録処理または第一の削除処理に際して、当該各処理を実施する記録再生装置１０２ａ〜１０２ｃを選択する操作を省略することができる。これにより、ユーザーによる煩雑な設定や接続状態の確認等が一切不要となり、ユーザーにとって利便性がより向上する。
【図面の簡単な説明】
【０１４０】
【図１】実施の形態１に係る放送番組録画予約システムの構成を示すブロック図である。
【図２】表示装置のＯＳＤにより、ＥＰＧ上に録画予約アイコンを表示した例を示す図である。
【図３】表示装置のＯＳＤにより、予約一覧を表示した例を示す図である。
【図４】表示装置のＯＳＤにより、録画予約の登録ができた旨が表示される例を示す図である。
【図５】実施の形態１に係る放送番組録画予約システムにおける、録画予約の登録動作を示すフローチャートである。
【図６】実施の形態１に係る放送番組録画予約システムにおける、記録再生装置の電源オン処理動作を示すフローチャートである。
【図７】表示装置のＯＳＤにより、録画予約の登録ができなかった旨が表示される例を示す図である。
【図８】実施の形態１に係る放送番組録画予約システムにおける、録画予約の削除動作を示すフローチャートである。
【図９】実施の形態１に係る放送番組録画予約システムにおける、録画予約リスト照合処理動作を示すフローチャートである。
【図１０】実施の形態２に係る放送番組録画予約システムにおける、録画予約の登録動作を示すフローチャートである。
【図１１】実施の形態２に係る放送番組録画予約システムにおける、記録再生装置の電源オン・オフ処理動作を示すフローチャートである。
【図１２】実施の形態３に係る放送番組録画予約システムの構成を示す図である。
【符号の説明】
【０１４１】
１０１  表示装置、１０２，１０２ａ，１０２，１０２ｃ  記録再生装置、１０３  ＨＤＭＩケーブル、１１４  リモコン、１０９  出力部、１１６，１３２  ＨＤＭＩインターフェイス、５００，７００  放送番組録画予約システム。
【図１】
0005224857.tif 000002
【図２】
0005224857.tif 000003
【図３】
0005224857.tif 000004
【図４】
0005224857.tif 000005
【図５】
0005224857.tif 000006
【図６】
0005224857.tif 000007
【図７】
0005224857.tif 000008
【図８】
0005224857.tif 000009
【図９】
0005224857.tif 000010
【図１０】
0005224857.tif 000011
【図１１】
0005224857.tif 000012
【図１２】
0005224857.tif 000013